(57)【特許請求の範囲】
【請求項１】
波長スイッチ、前記波長スイッチの各出力に対して設けられた複数のトランスポンダ、サブキャリアマッピングおよび制御部を備え、
前記波長スイッチは、入力側伝送路から入力されたマルチキャリア信号光を光スイッチングして出力側伝送路に出力する機能、前記入力側伝送路から入力されたマルチキャリア信号光を一定帯域幅で光スイッチングし、前記制御部により指定されたトランスポンダに出力する機能、およびトランスポンダから入力された一定帯域幅のマルチキャリア信号光を光スイッチングして前記出力側伝送路に出力する機能を有し、
前記トランスポンダは、前記波長スイッチから出力された一定帯域幅のマルチキャリア信号光を分岐する第１のカプラと、前記第１のカプラにより分岐された一方の一定帯域幅のマルチキャリア信号光をサブキャリア単位の信号光に分波する分波器と、前記分波器により分波されたサブキャリア単位の各信号光に対して設けられ、前記制御部からの指定に従って、特定のサブキャリア単位の信号光を前記サブキャリアマッピングに転送する複数の受信器と、前記制御部からの指定に従って、前記第１のカプラにより分岐された他方の一定帯域幅のマルチキャリア信号光のうち前記特定のサブキャリア単位の信号光の帯域以外のマルチキャリア信号光を通すブロッカと、前記制御部からの指定に従って、前記サブキャリアマッピングからのサブキャリア単位の信号光を転送する複数の送信器と、前記複数の送信器により転送されたサブキャリア単位の信号光を合波する合波器と、前記ブロッカを通ったマルチキャリア信号光と前記合波器により合波された信号光を前記波長スイッチに出力する第２のカプラを備え、
前記サブキャリアマッピングは、前記特定のサブキャリア単位の信号光を前記制御部により指定されたクライアント装置に転送し、クライアント装置から入力されたサブキャリア単位の信号光を前記制御部により指定されたトランスポンダに転送する機能を有することを特徴とする光通信ネットワークの通信装置。
【請求項２】
前記受信器および前記送信器は、前記制御部からの指定に従って、サブキャリア単位の信号光を転送するときだけ、電源がオンされることを特徴とする請求項１記載の光通信ネットワークの通信装置。
【請求項３】
波長スイッチ、波長スイッチの各出力に対して設けられた複数のトランスポンダ、サブキャリアマッピングおよび制御部を備えた光通信ネットワークの通信方法であって、
前記波長スイッチが、入力側伝送路から入力されたマルチキャリア信号光を光スイッチングして出力側伝送路に出力するステップ、前記入力側伝送路から入力されたマルチキャリア信号光を一定帯域幅で光スイッチングし、前記制御部により指定されたトランスポンダに出力するステップ、およびトランスポンダから入力された一定帯域幅のマルチキャリア信号光を光スイッチングして前記出力側伝送路に出力するステップ、
前記トランスポンダが、前記波長スイッチから出力された一定帯域幅のマルチキャリア信号光をサブキャリア単位の信号光に分波するステップ、分波されたサブキャリア単位の各信号光のうち、前記制御部からの指定に従って、特定のサブキャリア単位の信号光を前記サブキャリアマッピングに転送するステップ、前記制御部からの指定に従って、前記波長スイッチから出力されたマルチキャリア信号光のうち前記特定のサブキャリア単位の信号光の帯域以外のマルチキャリア信号光を通すステップ、前記制御部からの指定に従って、前記サブキャリアマッピングからのサブキャリア単位の信号光を転送するステップ、転送されたサブキャリア単位の信号光を合波するステップ、前記特定のサブキャリア単位の信号光の帯域以外のマルチキャリア信号光と合波された信号光を前記波長スイッチに出力するステップ、
前記サブキャリアマッピングが、前記特定帯域の信号光を前記制御部により指定されたクライアント装置に転送し、クライアント装置から入力されたサブキャリア単位の信号光を前記制御部により指定されたトランスポンダに転送するステップを有することを特徴とする光通信ネットワークの通信方法。
【発明の詳細な説明】
【技術分野】
【０００１】
本発明は、光通信ネットワークの通信装置に関し、信号光を光のままスイッチングすると共に、効率的な信号光帯域利用を可能とする通信装置および方法に関する。
【背景技術】
【０００２】
光通信システムにおいて、クライアント信号（イーサネット（登録商標）信号やＳＯＮＥＴ／ＳＤＨ信号（非特許文献１））を収容するデータコンテナとしてOptical Transport Network（ＯＴＮ）信号（非特許文献２）がＩＴＵ−Ｔにおいて規格化されている。ＯＴＮ信号を用いたネットワークでは、ＯＴＮ階梯に従って、電気信号処理を用いたOptical Data Unit k （ODU k: k=0,1,2,3,4）単位のデータスイッチングが可能である。ＯＤＵ単位のスイッチング方式を用いることで、ＯＴＮ信号に収容されるクライアント信号を効率的に収容可能となる。
【０００３】
また、電気信号処理によるスイッチングの代わりに、光信号をミラーで光のままスイッチングする光スイッチを用いた波長スイッチング装置が、特許文献１、非特許文献３および非特許文献４で開示されている。
【先行技術文献】
【特許文献】
【０００４】
【特許文献１】特開２０１０−１２４２６６号公報
【非特許文献】
【０００５】
【非特許文献１】ITU-T勧告 G.707 “Network Node Interface for the Synchronous Digital Hierarchy (SDH)”
【非特許文献２】ITU-T勧告 G.709 “Interfaces for the Optical Transport Network (OTN)”
【非特許文献３】ITU-T勧告 G.680 ”Physical transfer functions of optical network elements”
【非特許文献４】Thomas Strasser, “ROADM Technologies and Network Applications,” OFC/NFOEC2007 Short Course Notes SC261
【発明の概要】
【発明が解決しようとする課題】
【０００６】
しかしながら、非特許文献１および２の方式では、電気信号処理を用いてデータをスイッチングするため、高速信号処理になるほど電気回路の消費電力が高くなると共に、電気回路から発生する熱量も問題となる。電気信号処理によるスイッチングの代わりに、光スイッチを用いた波長スイッチング装置を用いることで、装置の低消費電力化、および熱問題の解決が可能である。しかしながら、光スイッチング方式では、スイッチングされる信号光帯域粒度が２．５Ｇｂｐｓや１０Ｇｂｐｓ単位という具合に粗くなるため信号光帯域の効率的な利用ができないという課題がある。
【０００７】
したがって、本発明は、光スイッチング粒度の微細化を実現し効率的な信号光帯域利用を可能とする通信装置および方法を提供することを目的とする。
【課題を解決するための手段】
【０００８】
上記目的を実現するため本発明による光通信ネットワークの通信装置は、マルチキャリア信号光を一定の帯域幅で光スイッチングする波長スイッチと、前記波長スイッチからマルチキャリア信号光を送受信する手段と、受信したマルチキャリア信号光をサブキャリア単位で光スイッチングする手段と、受信したマルチキャリア信号光をサブキャリア単位で遮断する手段とを備える。
【０００９】
上記目的を実現するため本発明による光通信ネットワークの通信装置は、波長スイッチ、前記波長スイッチの各出力に対して設けられた複数のトランスポンダ、サブキャリアマッピングおよび制御部を備え、前記波長スイッチは、入力側伝送路から入力されたマルチキャリア信号光を光スイッチングして出力側伝送路に出力する機能、前記入力側伝送路から入力されたマルチキャリア信号光を一定帯域幅で光スイッチングし、前記制御部により指定されたトランスポンダに出力する機能、およびトランスポンダから入力された一定帯域幅のマルチキャリア信号光を光スイッチングして前記出力側伝送路に出力する機能を有し、前記トランスポンダは、前記波長スイッチから出力された一定帯域幅のマルチキャリア信号光を分岐する第１のカプラと、前記第１のカプラにより分岐された一方の一定帯域幅のマルチキャリア信号光をサブキャリア単位の信号光に分波する分波器と、前記分波器により分波されたサブキャリア単位の各信号光に対して設けられ、前記制御部からの指定に従って、特定のサブキャリア単位の信号光を前記サブキャリアマッピングに転送する複数の受信器と、前記制御部からの指定に従って、前記第１のカプラにより分岐された他方の一定帯域幅のマルチキャリア信号光のうち前記特定のサブキャリア単位の信号光の帯域以外のマルチキャリア信号光を通すブロッカと、前記制御部からの指定に従って、前記サブキャリアマッピングからのサブキャリア単位の信号光を転送する複数の送信器と、前記複数の送信器により転送されたサブキャリア単位の信号光を合波する合波器と、前記ブロッカを通ったマルチキャリア信号光と前記合波器により合波された信号光を前記波長スイッチに出力する第２のカプラを備え、前記サブキャリアマッピングは、前記特定のサブキャリア単位の信号光を前記制御部により指定されたクライアント装置に転送し、クライアント装置から入力されたサブキャリア単位の信号光を前記制御部により指定されたトランスポンダに転送する機能を有する。
【００１２】
また、前記受信器および前記送信器は、前記制御部からの指定に従って、サブキャリア単位の信号光を転送するときだけ、電源がオンされることも好ましい。
【００１３】
上記目的を実現するため本発明による光通信ネットワークの通信方法は、波長スイッチ、波長スイッチの各出力に対して設けられた複数のトランスポンダ、サブキャリアマッピングおよび制御部を備えた光通信ネットワークの通信方法であって、前記波長スイッチが、入力側伝送路から入力されたマルチキャリア信号光を光スイッチングして出力側伝送路に出力するステップ、前記入力側伝送路から入力されたマルチキャリア信号光を一定帯域幅で光スイッチングし、前記制御部により指定されたトランスポンダに出力するステップ、およびトランスポンダから入力された一定帯域幅のマルチキャリア信号光を光スイッチングして前記出力側伝送路に出力するステップ、前記トランスポンダが、前記波長スイッチから出力された一定帯域幅のマルチキャリア信号光をサブキャリア単位の信号光に分波するステップ、分波されたサブキャリア単位の各信号光のうち、前記制御部からの指定に従って、特定のサブキャリア単位の信号光を前記サブキャリアマッピングに転送するステップ、前記制御部からの指定に従って、前記波長スイッチから出力されたマルチキャリア信号光のうち前記特定のサブキャリア単位の信号光の帯域以外のマルチキャリア信号光を通すステップ、前記制御部からの指定に従って、前記サブキャリアマッピングからのサブキャリア単位の信号光を転送するステップ、転送されたサブキャリア単位の信号光を合波するステップ、前記特定のサブキャリア単位の信号光の帯域以外のマルチキャリア信号光と合波された信号光を前記波長スイッチに出力するステップ、前記サブキャリアマッピングが、前記特定帯域の信号光を前記制御部により指定されたクライアント装置に転送し、クライアント装置から入力されたサブキャリア単位の信号光を前記制御部により指定されたトランスポンダに転送するステップを有する。
【発明の効果】
【００１４】
本発明により、マルチキャリア信号光をサブキャリア単位で光スイッチングすることが可能になり、光スイッチング粒度の微細化による信号光帯域利用効率を向上させ、また光スイッチによる信号スイッチング方式を用いることで、装置消費電力を削減するという効果を得ることができる。
【図面の簡単な説明】
【００１５】
【図１】本発明の通信装置の構成を示す。
【図２】１台のトランスポンダの構成を示す
【図３】サブキャリアマッピングの構成を示す。
【図４】本発明装置の動作フローを示す。
【図５】各種パラメータを考慮した本発明の通信装置の構成を示す。
【図６】各種パラメータを考慮した波長スイッチの構成を示す。
【図７】各種パラメータを考慮したトランスポンダの構成を示す。
【発明を実施するための形態】
【００１６】
本発明を実施するための最良の実施形態について、以下では図面を用いて詳細に説明する。図１は、本発明の通信装置の構成を示す。図の点線で囲まれた部分が本発明装置を示す。通信装置１は、波長スイッチ１１、トランスポンダ１２、サブキャリアマッピング１３、および制御部１４から構成される。以下に、各部分の機能概要を説明する。
【００１７】
波長スイッチ１１は、ある帯域幅単位の波長選択スイッチング機能（非特許文献３、４）を有し、Wavelength Division Multiplexing （ＷＤＭ）伝送路に接続された方路１〜ｋの入力出力ポートと、トランスポンダ１２に接続された１〜ｍの入力出力ポートから成る。
【００１８】
トランスポンダ１２は、マルチキャリア信号光を送受信する機能を有すると共に、受信した信号光を、サブキャリアの帯域幅単位で遮断する機能を有する。また、遮断した帯域にサブキャリア信号光を挿入する機能を有する。トランスポンダ１２は、サブキャリアマッピング１３と接続される。
【００１９】
サブキャリアマッピング１３は、トランスポンダ１２から受信した信号を、制御部１４により指定されたクライアント装置１５に転送する機能、および、クライアント装置１５から受信した信号を制御部１４により指定されたトランスポンダ１２に転送する機能を有する。
【００２０】
制御部１４は、上記の波長スイッチ１１、１〜ｍの各トランスポンダ１２、およびサブキャリアマッピング１３を制御する機能を有する。また、制御部１４は、外部装置との通信機能を有し、制御網、もしくは運用管理網経由で命令を受ける。
【００２１】
また、本発明の通信装置の構成要素ではないが、クライアント装置１５は、イーサネット（登録商標）信号やＳＯＮＥＴ／ＳＤＨ信号などに収容されたユーザデータが送受信される。以下に、各部分の機能について説明する。
【００２２】
波長スイッチ１１は、波長選択スイッチ（非特許文献３、４）により構成される。波長選択機能として、帯域幅Ａ単位の信号光スイッチング機能を有する。各方路１〜ｋのＷＤＭ伝送路から入力された信号光は、波長スイッチ１１により帯域幅Ａ単位で１〜ｍのいずれかのポートにスイッチングされる場合、およびＷＤＭ伝送路の方路１〜ｋのいずれかのポートに出力される場合がある。
【００２３】
トランスポンダ１２の出力の１〜ｍのいずれかのポートを介して波長スイッチ１１に入力された信号光は、波長スイッチ１１により方路１〜ｋのいずれかのＷＤＭ伝送路に出力される。波長スイッチ１１では、どの入力ポートから入力された信号光波長であっても、いずれの出力ポートからでも出力が可能である。
【００２４】
各パラメータについて以下に説明する。波長スイッチの方路数ｋは、１以上の整数値である。
【００２５】
波長スイッチ１１のポート数ｍは、各方路に収容可能なＷＤＭ波長数の合計値となる。ＷＤＭ伝送路の各方路に収容可能なＷＤＭ信号光の波長数をＮｕｍ＿ＷＤＭ（ａ）［ａは１〜ｋとする］とすると、
【数１】
0005601667.tif 000002
となる。
【００２６】
１台のトランスポンダの構成を図２に示す。トランスポンダ１２は、信号光の送信器１２１と受信器１２２、合波器１２３、分波器１２４、ブロッカ１２５、および信号光挿入分岐のためのカプラ１２６から構成される。
【００２７】
波長スイッチ１１からの入力は、カプラ１２６（１）により分岐される。分岐された信号光の一方は受信側へ、分岐されたもう一方の信号光はブロッカ１２５へと入力される。受信側へ入力された信号光は、分波器１２４において各サブキャリアに分波された後、それぞれの受信器１２２によって受信される。受信器１２２により受信された信号は、サブキャリアマッピング１３へ転送される。
【００２８】
ブロッカ１２５へ入力された信号光は、制御部１４により指定されたサブキャリアの信号光帯域がブロッカ１２５によって遮断される。遮断された帯域には、必要に応じてカプラ１２６（２）により送信器１２１からの信号光が挿入される。サブキャリアマッピング１３の各出力は、１〜ｍの各送信器１２１へ入力される。
【００２９】
送信器数、および受信器数のｐは、各送信器１２１と受信器１２２が取り扱う信号光ビットレートをｂ、ＷＤＭ信号光一波あたりのビットレートが全波長について同一の場合、それをＢとすると次のようになる。
ｐ＝Ｂ／ｂ                                                      （式２）
【００３０】
ＷＤＭ信号一波あたりのビットレートが波長によって異なる場合は、伝送路ｑ（ｑは１〜ｋの整数）における波長番号ｘの信号ビットレートをＢ［ｑ，ｘ］とすると、送信器数、および受信器数ｐ［ｑ，ｘ］は、次のようになる。
ｐ［ｑ，ｘ］＝Ｂ［ｑ，ｘ］／ｂ                                  （式３）
【００３１】
受信側では、制御部１４により指定された受信器１２２のみを使用する。この時、使用されない受信器１２２については電源をオフする。
【００３２】
また、送信側においても、制御部１４に指定された送信器１２１のみを使用する。受信器１２２と同様に使用されない送信器１２１については電源をオフする。
【００３３】
図３は、サブキャリアマッピングの構成を示す。点線で囲まれた部分が、サブキャリアマッピング１３の構成を示す。サブキャリアマッピング１３は、送受信器１３１および切替器１３２から構成される。サブキャリアマッピング１３は、各トランスポンダ１２から受信した信号を、制御部１４によって指定されたクライアント装置１５に転送する機能を有する。また、クライアント装置１５から受信した信号を制御部１４によって指定されたトランスポンダ１２に転送する機能を有する。
【００３４】
トランスポンダ１２から入力された信号は、トランスポンダ側の１〜ｘのいずれかの送受信器１３１内の受信器にて受信された後、切替器１３２に送られる。制御部１４により指定されたクライアント装置１５に信号を転送すべく、切替器１３２において信号がスイッチングされる。スイッチングされた信号は、クライアント装置側の送受信器１３２内の送信器を介してクライアント装置１５に送られる。
【００３５】
クライアント装置１５から入力された信号は、クライアント装置側の１〜ｘのいずれかの送受信器１３１内の受信器にて受信された後、切替器１３２に送られる。制御部１４により指定されたトランスポンダ１２に信号を転送すべく、切替器１３２において、信号がスイッチングされる。スイッチングされた信号は、トランスポンダ側の送受信器１３２内の送信器を介して制御部１４により指定されたトランスポンダ１２に送られる。
【００３６】
ここで、サブキャリアマッピング１３内の送受信器１３１の数、および切替器１３２の数ｘは、次のように決められる。
【００３７】
ＷＤＭ信号光一波あたりのビットレートが全波長にわたり同一の場合は次のようになる。
【数２】
0005601667.tif 000003
【００３８】
ＷＤＭ信号一波あたりのビットレートが波長によって異なる場合は、次のようになる。
【数３】
0005601667.tif 000004
【００３９】
図４に、本発明装置の動作フローを示す。下記に、本装置の動作フローについて記述する。
（Ｓ１）開始：動作開始する。
（Ｓ２）信号挿入分岐カットスルー？：信号光の挿入分岐の命令、もしくはカットスルーの命令があるか否かを、制御部１４が確認する。命令がない場合は、命令を待つ。カットスルーの命令がある場合は、Ｓ３へ進む。挿入分岐の命令がある場合はＳ４へ進む。なお、「カットスルー」とは、波長スイッチ１１の方路１〜ｋの入力側ＷＤＭ伝送路から入力された信号光波長の一部、もしくは全てが、方路１〜ｋの出力側ＷＤＭ伝送路に出力されることをいう。
（Ｓ３）波長スイッチ１１における波長カットスルー：制御部１４によって指定された波長を、波長スイッチ１１により指定された出力へカットスルーさせる。
（Ｓ４）信号挿入分岐？：信号光をＷＤＭ信号光に挿入するか、もしくは、ＷＤＭ信号光から信号光を分岐するかを制御部１４が確認する。分岐する場合は、Ｓ５へ進む。挿入する場合は、Ｓ１０へ進む。
（Ｓ５）波長スイッチ１１による波長スイッチング：波長スイッチ１１において、ＷＤＭ信号光から分岐する波長をスイッチングして、トランスポンダ１２へ入力する。
制御部１４は、分岐する波長を以下のように指定する。
指定方路：ｄｒｘ（ｄｒｘは１〜ｋの整数）
指定波長：ｗｒｘ（ｗｒｘは１〜Ｎｕｍ＿ＷＤＭ（ｄｒｘ）の整数）
（Ｓ６）トランスポンダ１２による信号光受信：波長スイッチ１１からトランスポンダ１２に入力された信号光を受信する。
制御部１４は、受信に使用するトランスポンダ１２の受信器１２２を以下のように指定する。
指定方路：ｄｒｘ（ｄｒｘは１〜ｋの整数）
指定波長：ｗｒｘ（ｗｒｘは１〜Ｎｕｍ＿ＷＤＭ（ｄｒｘ）の整数）
使用トランスポンダの番号：
【数４】
0005601667.tif 000005
ただし、ｄｒｘは２〜ｋの整数（ｄｒｘ＝１の場合は、式６で
【数５】
0005601667.tif 000006
とする。）
指定受信器：ｒ（ｒは１〜ｐの整数）
また、上記で指定した受信器１２２にて受信される信号光を、トランスポンダ内のブロッカ１２５にて遮断する。また、使用しない受信器１２２は、電源をオフする。
（Ｓ７）サブキャリアマッピング１３による信号転送：トランスポンダ１２からサブキャリアマッピング１３に入力された信号を、制御部１４で指定されたクライアント装置１５へ転送する。
制御部１４は、転送先のクライアントポートを以下のように指定する。
指定クライアントポート：ｃｌ（ｃｌは１〜ｘの整数）
（Ｓ８）信号光挿入？：信号光をＷＤＭ伝送路に挿入する場合は、Ｓ１０に進む。信号光の挿入を行わない場合は、Ｓ９に進む。
（Ｓ９）終了？：本通信装置１が動作を終了する場合は、Ｓ１５へ進み、終了しない場合は、Ｓ２へ戻る。
（Ｓ１０）クライアント装置１５からの信号受信：クライアント装置１５からの信号を、サブキャリアマッピング１３において受信する。
（Ｓ１１）サブキャリアマッピング１３による信号転送：クライアント装置１５から受信した信号を、制御部１４が指定するトランスポンダ１２に転送する。
制御部１４は、転送先のトランスポンダ１２を以下のように指定する。
指定トランスポンダの番号：ｔｒｐｄ＿ｔｘ（ｔｒｐｄ＿ｔｘは１〜ｍの整数）
指定方路と指定波長を下記のようにすると、ｔｒｐｄ＿ｔｘは次のようになる。
指定方路：ｄｔｘ（ｄｔｘは１〜ｋの整数）
指定波長：ｗｔｘ（ｗｔｘは１〜Ｎｕｍ＿ＷＤＭ（ｄｔｘ）の整数）
使用トランスポンダの番号：
【数６】
0005601667.tif 000007
ただし、ｄｔｘは２〜ｋの整数（ｄｔｘが１の場合、式７で
【数７】
0005601667.tif 000008
とする。）
（Ｓ１２）トランスポンダ１２による信号光送信：サブキャリアマッピング１３から受信した信号を、トランスポンダ１２においてマルチキャリア信号光に変換し、波長スイッチ１１へ送る。
制御部１４は、トランスポンダにおいて使用する送信器を以下のように指定する。
指定送信器：ｓ（ｓは１〜ｐの整数）
なお、使用しない送信器１２１は、電源をオフする。
（Ｓ１３）波長スイッチ１１による信号光挿入：トランスポンダ１２からの信号光を、波長スイッチ１１を用いてＷＤＭ信号に挿入する。
制御部１４は、挿入する指定方路を以下のように指定する。
指定方路：ｄｔｘ（ｄｔｘは１〜ｋの整数）
（Ｓ１４）終了？：本通信装置１が動作を終了する場合は、Ｓ１５へ進み、終了しない場合は、Ｓ２へ戻る。
（Ｓ１５）終了：終了する。
【００４０】
以下では、実施例について記述する。ここでは、次のような設計値に基づいた本発明装置について説明する。
・１方路の光伝送路に収容されているＷＤＭ信号の波長数：４０
・１波あたりの信号ビットレート：１０Ｇｂｐｓ
・波長スイッチ１１の方路数：３
・送信器１２１、受信器１２２のビットレート：１Ｇｂｐｓ
・クライアント信号のビットレート：１Ｇｂｐｓ
この条件では、波長スイッチ１１とトランスポンダ１２の接続ポート数ｍは、以下のように１２０となる。
【００４１】
波長スイッチ１１とトランスポンダ１２の接続ポート数は（式１）より
【数８】
0005601667.tif 000009
となる。
【００４２】
波長スイッチ１１とトランスポンダ１２の接続ポート数とトランスポンダ１２の数は同じであることから、トランスポンダ数も１２０となる。
【００４３】
次に、送信器１２１と受信器１２２の数ｐは、１波あたりの信号ビットレートと送信器１２１と受信器１２２のビットレートの関係から（式２）より、以下のように１０となるため、サブキャリアマッピング１３とトランスポンダ１２の接続ポート数ｘは（式４）より、以下のように１２００となる。
送信器と受信器の数：ｐ＝Ｂ／ｂ＝１０Ｇｂｐｓ／１Ｇｂｐｓ＝１０
サブキャリアマッピングとトランスポンダの接続ポート数：
ｘ＝ｍ×ｐ＝１２０×１０＝１２００
【００４４】
上述の各種パラメータを考慮した通信装置の概要を図５に、波長スイッチの構成図を図６に示す。
【００４５】
各波長選択スイッチは、各方路のＷＤＭ信号の波長数を挿入、もしくは分岐することが可能なポート数、および各方路に信号光を挿入、もしくは分岐することが可能なポート数を備える。ここでは、ＷＤＭ信号の波長数が４０であるため信号光を挿入、もしくは分岐ポート数が４０、および、ある方路から他の２方路へ信号光を挿入、もしくは分岐するためのポート数が２ポートとなり、合計４２ポートを備えた波長選択スイッチが用いられる。図６では、４２ポートを備えた波長選択スイッチを６個用いて、３方路の波長スイッチ１１を構成した例である。
【００４６】
図７にトランスポンダの構成例を示す。この例では、トランスポンダ１２内の送受信器の数は１０となる。送信器１２１と受信器１２２では、信号光としてFrequency Division Multiplexing（ＦＤＭ）信号を用いる。この例では、１つの送信器１２１、および受信器１２２の信号ビットレートは１Ｇｂｐｓである。信号光の合波器１２３としては光カプラ、もしくはArrayed Waveguide Grating（ＡＷＧ）を用いる。また、信号光の分波器１２４としては、ＡＷＧを用いて各サブキャリアに分波する。ここでは、ひとつの送受信器が取り扱うサブキャリアのビットレートが１Ｇｂｐｓであるため、サブキャリアの波長間隔を２ＧＨｚとする。
【００４７】
本発明装置の制御例として、次のような条件の下での動作を記述する。
・信号光分岐：方路３の波長１０を分岐する。
・トランスポンダ１２において、波長１０のサブキャリア３を受信する。
・信号光挿入：方路２の波長１５のサブキャリア５を挿入する。
【００４８】
上述の条件で、図４の装置の動作フローに従って装置が制御される。ここでは、信号光を分岐する必要があるため、まず、波長スイッチ１１による波長スイッチングにより、方路３の波長１０が分岐される。この時、上記の波長が受信されるトランスポンダ１２は、（式６）を用いると、
【数９】
0005601667.tif 000010
となり、トランスポンダ１２（９０）を用いて信号光を受信することになる。
【００４９】
トランスポンダ１２（９０）の受信器３を用いて信号光を受信する。また、トランスポンダ１２（９０）の受信器３以外の受信器については電源をオフする。この時、トランスポンダ１２内のブロッカ１２５において、受信器３で受信しているサブキャリアの帯域を遮断する。ブロッカ１２５としては、波長ブロッカを用いる。
【００５０】
次に信号光の挿入を行う場合を記述する。まず、クライアント装置１５からの信号を、サブキャリアマッピング１３において受信する。次に、クライアント装置１５から受信した信号を、制御部１４が指定するトランスポンダ１２に転送する。この時、使用されるトランスポンダ１２は、（式７）を用いると、
【数１０】
0005601667.tif 000011
となり、トランスポンダ１２（５５）のサブキャリア５を用いて信号光を挿入することになる。
【００５１】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００５２】
１  通信装置
１１  波長スイッチ
１２  トランスポンダ
１３  サブキャリアマッピング
１４  制御部
１５  クライアント装置
１２１  送信器
１２２  受信器
１２３  合波器
１２４  分波器
１２５  ブロッカ
１２６  カプラ
１３１  送受信器
１３２  切替器
【図１】
0005601667.tif 000012
【図２】
0005601667.tif 000013
【図３】
0005601667.tif 000014
【図４】
0005601667.tif 000015
【図５】
0005601667.tif 000016
【図６】
0005601667.tif 000017
【図７】
0005601667.tif 000018